(57)【要約】【課題】視野角特性の問題を解消すること、あるいはシャッタの可動距離の確保を目的とする。【解決手段】固定開口２４は、移動ライン３４を挟む両側の領域にそれぞれ配置された第１固定スリット２６及び第２固定スリット３０を有する。駆動開口３８は、移動ライン３４を挟む両側にそれぞれ配置された第１駆動スリット４２及び第２駆動スリット４４を有する。第１固定スリット２６及び第１駆動スリット４２は、第１ライン２８に沿って延びるように形成され、シャッタ３６が光を透過する位置にあるときに連通するように配置される。第２固定スリット３０及び第２駆動スリット４４は、第１ライン２８と交差する第２ライン３２に沿って延びるように形成され、シャッタ３６が光を透過する位置にあるときに連通するように配置されている。【選択図】図５
2013068757.tif 000002
【特許請求の範囲】
【請求項１】
光が透過する固定開口が形成された遮光膜と、
駆動開口を有して前記光の透過及び遮断を制御するシャッタと、
前記シャッタ及び前記駆動開口を、所定の方向である移動ラインに沿って移動させる駆動部と、
を有し、
前記固定開口は、前記所定の方向とは異なる方向、且つ前記所定の方向に直交する方向とは異なる方向に延びる固定スリットを少なくとも有し、
前記駆動開口は、前記固定スリットが延びる方向に延びる駆動スリットを少なくとも有することを特徴とする表示装置。
【請求項２】
請求項１に記載された表示装置において、
前記固定開口は、前記移動ラインを挟んで位置する第１の領域と第２の領域のそれぞれに配置された第１固定スリット及び第２固定スリットを有し、
前記駆動開口は、前記第１の領域と前記第２の領域のそれぞれ配置された第１駆動スリット及び第２駆動スリットを有し、
前記第１固定スリット及び前記第１駆動スリットは、第１ラインに沿って延びるように形成され、
前記第２固定スリット及び前記第２駆動スリットは、前記第１ラインと交差する第２ラインに沿って延びるように形成されていることを特徴とする表示装置。
【請求項３】
請求項２に記載された表示装置において、
マトリクス状に配置された複数の画素を有し、
複数の画素の各々の形状は、第１の方向に延びる第１の一対の辺と第２の方向に延びる第２の一対の辺とで形成される矩形であり、
複数の画素の各々は、一つの前記シャッタと少なくとも１つの前記固定開口とを有し、
前記シャッタは、少なくとも１つの駆動開口を有し、
前記第１の方向は前記第１ラインの方向であり、前記第２の方向は前記第２ラインの方向であり
前記移動ラインの前記所定の方向は、前記矩形の対角線の方向であることを特徴とする表示装置。
【請求項４】
請求項２又は３に記載された表示装置において、
前記移動ラインは、前記第１ラインと前記第２ラインとがなす角を二等分する方向であることを特徴とする表示装置。
【請求項５】
請求項４に記載された表示装置において、
前記第１ラインと前記第２ラインとがなす角は９０度であることを特徴とする表示装置。
【請求項６】
請求項２から５のいずれか１項に記載された表示装置において、
前記第１固定スリット及び前記第２固定スリットは、端部が接続されて一体的にＬ字又はＶ字を描くように形成され、
前記第１駆動スリット及び前記第２駆動スリットは、端部が接続されて一体的にＬ字又はＶ字を描くように形成されていることを特徴とする表示装置。
【請求項７】
請求項２から５のいずれか１項に記載された表示装置において、
前記第１固定スリット及び前記第２固定スリットは、所定の間隔を有して離間して形成され、
前記第１駆動スリット及び前記第２駆動スリットは、所定の間隔を有して離間して形成されていることを特徴とする表示装置。
【請求項８】
請求項２から７のいずれか１項に記載された表示装置において、
マトリクス状に配置された複数の画素を有し、
複数の画素の各々は、一つの前記シャッタと複数の前記固定開口とを有し、
前記シャッタは、複数の前記駆動開口を有することを特徴とする表示装置。
【請求項９】
請求項８に記載された表示装置において、
前記複数の前記固定開口と前記複数の前記駆動開口とは同数であることを特徴とする表示装置。
【請求項１０】
請求項８に記載された表示装置において、
前記複数の前記固定開口の数は、前記複数の前記駆動開口の数よりも大きいことを特徴とする表示装置。
【請求項１１】
請求項２から１０のいずれか１項に記載された表示装置において、
対向配置された一対の基板を有し、
前記駆動部は、前記一対の基板の内の一方の基板に形成され、
前記駆動部は、前記シャッタを前記一方の基板と所定の間隔を隔てて支持する第１電極と、前記第１電極の前記シャッタの側とは反対側の位置で前記第１電極と対向する第２電極と、を有し、前記第１電極と前記第２電極との間の電位差によって、前記シャッタを移動させることを特徴とする表示装置。
【請求項１２】
請求項１１に記載された表示装置において、
前記シャッタを挟むように、一対の前記第２電極が設けられ、
前記一対の前記第２電極の各々は、前記移動ラインに沿って、前記シャッタの両側に配置され、
前記一対の前記第２電極の各々と前記シャッタとの間に、前記第１電極が設けられていることを特徴とする表示装置。
【請求項１３】
請求項１２に記載された表示装置において、
前記第１電極は、前記シャッタの平面外形に外接する最小の四角形の隣接する二辺にそれぞれ隣り合う部分を有するように配置された一対の第１ビームを有し、
前記第２電極は、前記一対の第１ビームにそれぞれ隣り合う部分を有するように配置された一対の第２ビームを有し、
１つの前記第１ビームと１つの前記第２ビームが相互に対向することを特徴とする表示装置。
【請求項１４】
請求項１３に記載された表示装置において、
それぞれの前記第１ビームは、隣り合う一方の前記第２ビームと対向する中間部分と、前記中間部分の一端から延びて前記シャッタに接続する接続部と、前記中間部分の前記接続部とは反対側で前記一方の基板上の位置が固定された固定点と、を有し、
前記接続部から前記第１電極と隣り合う前記二辺の間の角までの距離は、前記固定点から前記角までの距離よりも小さいことを特徴とする表示装置。
【請求項１５】
請求項１４に記載された表示装置において、
前記中間部分と前記一方の前記第２ビームとの間隔は、前記接続部に近い側よりも前記固定点に近い側が小さいことを特徴とする表示装置。
【請求項１６】
請求項１４又は１５に記載された表示装置において、
前記中間部分は、前記シャッタの前記平面外形と対向する対向領域を有し、且つ前記対向領域と前記固定点との間に延在領域を有することを特徴とする表示装置。
【請求項１７】
対向配置された一対の基板と、
光が透過する固定開口が形成された遮光膜と、
駆動開口を有して前記光の透過及び遮断を制御するシャッタと、
前記シャッタ及び前記駆動開口を、所定の方向である移動ラインに沿って移動させる駆動部と、
を有し、
前記駆動部は、前記一対の基板の内の一方の基板に形成され、
前記駆動部は、前記シャッタを前記一方の基板と所定の間隔を隔てて支持する一対の第１電極と、前記一対の第１電極の各々の前記シャッタの側とは反対側の位置で前記一対の第１電極の各々と対向する一対の第２電極と、を有し、
前記一対の第１電極の各々は、、前記移動ラインに沿って、前記シャッタの両側に配置され、
互いに対向する前記第１電極と前記第２電極との間の電位差によって、前記シャッタを移動させ、
前記一対の第１電極は、前記シャッタの平面外形に外接する最小の四角形の対角にそれぞれ隣り合う部分を有するように配置され、
それぞれの前記第１電極は、前記対角の一方を挟む二辺にそれぞれ隣り合う部分を有するように配置された一対の第１ビームを有し、
それぞれの前記第２電極は、前記一対の第１ビームにそれぞれ隣り合う部分を有するように配置された一対の第２ビームを有し、
１つの前記第１ビームと１つの前記第２ビームが相互に対向することを特徴とする表示装置。
【請求項１８】
請求項１７に記載された表示装置において、
マトリクス状に配置された複数の画素を有し、
複数の画素の各々の形状は矩形であり、
前記移動ラインの前記所定の方向は、前記矩形の対角線の方向であることを特徴とする表示装置。
【請求項１９】
請求項１７又は１８に記載された表示装置において、
それぞれの前記第１ビームは、隣り合う一方の前記第２ビームと対向する中間部分と、前記中間部分の一端から延びて前記シャッタに接続する接続部と、前記中間部分の前記接続部とは反対側で前記一方の基板上の位置が固定された固定点と、を有し、
前記接続部から前記第１電極と隣り合う前記対角の内の一方の角までの距離は、前記固定点から前記一方の角までの距離よりも小さいことを特徴とする表示装置。
【請求項２０】
請求項１９に記載された表示装置において、
前記中間部分と前記一方の前記第２ビームとの間隔は、前記接続部に近い側よりも前記固定点に近い側が小さいことを特徴とする表示装置。
【請求項２１】
請求項１９又は２０に記載された表示装置において、
前記中間部分は、前記シャッタの前記平面外形と対向する対向領域を有し、且つ前記対向領域と前記固定点との間に延在領域を有することを特徴とする表示装置。
【発明の詳細な説明】
【技術分野】
【０００１】
本発明は、表示装置に関する。
【背景技術】
【０００２】
ＭＥＭＳディスプレイ（Micro Electro Mechanical System Display）は、液晶ディスプレイに取って替ると期待されているディスプレイである（特許文献１参照）。このディスプレイは、偏光を利用した液晶シャッタ方式とは異なり、シャッタを有するシャッターユニットによって機械的に光の透過窓を開閉することにより明暗を表示する。詳しくは、固定開口が形成された遮光膜の上方に、駆動開口を有するシャッタが配置されている。
【０００３】
また、特許文献１の構造では、シャッタは、第１ビーム（第１の梁）と第２ビーム（第２の梁）との間の静電気力によって駆動されるようになっている。第１ビームは、その一端にシャッタが接続され、他端がアンカー部に固定されている。第１ビームが固定点のまわりで変形することでシャッタが移動する。
【先行技術文献】
【特許文献】
【０００４】
【特許文献１】特開２００８−１９７６６８号公報
【発明の概要】
【発明が解決しようとする課題】
【０００５】
シャッタは、遮光膜から間隔をあけて配置されることで駆動できるようになっており、固定開口と駆動開口が連通するとき、画面に対して垂直に進む光は固定開口及び駆動開口を透過する。これに対して、固定開口を斜めに進む光は、固定開口と駆動開口が連通していても、シャッタによって遮られてしまう。そして、固定開口及び駆動開口が長尺状であると、長手方向に沿って斜めに進む光は駆動開口を通過するが、短手方向に沿って斜めに進む光は、駆動開口から外れてシャッタで遮られる。したがって、見る方向によって輝度が異なるという視野角特性の問題があった。
【０００６】
また、特許文献１の構造では、矩形のシャッタの対向辺それぞれから第１ビームが延びているが、シャッタの一辺では、その中央部から辺に沿って相互に反対方向に一対の第１ビームが延びている。したがって、１つの第１ビームの長さは、一辺の半分以下という短さになっている。また、第１ビームに呼応して第２ビームも短くおり、第１ビームと第２ビーム間の静電気力が小さくなる。更に、第１ビームと第２ビーム間の剛性が高くなるので、シャッタが動きにくく、シャッタの可動距離が短くなる、或いは所望の距離シャッタを可動させるには第１ビームと第２ビーム間の電位差を大きくする必要があるという問題があった。
【０００７】
本発明は、視野角特性の問題を解消すること、あるいはシャッタの可動距離の確保を目的とする。
【課題を解決するための手段】
【０００８】
（１）本発明に係る表示装置は、光が透過する固定開口が形成された遮光膜と、駆動開口を有して前記光の透過及び遮断を制御するシャッタと、前記シャッタ及び前記駆動開口を、所定の方向である移動ラインに沿って移動させる駆動部と、を有し、前記固定開口は、前記所定の方向とは異なる方向、且つ前記所定の方向に直交する方向とは異なる方向に延びる固定スリットを少なくとも有し、前記駆動開口は、前記固定スリットが延びる方向に延びる駆動スリットを少なくとも有することを特徴とする。本発明によれば、視野角特性を向上させた、シャッタを有する表示装置を実現することができる。
【０００９】
（２）（１）に記載された表示装置において、前記固定開口は、前記移動ラインを挟んで位置する第１の領域と第２の領域のそれぞれに配置された第１固定スリット及び第２固定スリットを有し、前記駆動開口は、前記第１の領域と前記第２の領域のそれぞれ配置された第１駆動スリット及び第２駆動スリットを有し、前記第１固定スリット及び前記第１駆動スリットは、第１ラインに沿って延びるように形成され、前記第２固定スリット及び前記第２駆動スリットは、前記第１ラインと交差する第２ラインに沿って延びるように形成されていることを特徴としてもよい。本発明によれば、第１固定スリット及び第１駆動スリットが延びる方向と、第２固定スリット及び第２駆動スリットが延びる方向とが交差するので、二方向において視野角を広くすることができ、これらの方向で輝度を高めることができる。
【００１０】
（３）（２）に記載された表示装置において、マトリクス状に配置された複数の画素を有し、複数の画素の各々の形状は、第１の方向に延びる第１の一対の辺と第２の方向に延びる第２の一対の辺とで形成される矩形であり、複数の画素の各々は、一つの前記シャッタと少なくとも１つの前記固定開口とを有し、前記シャッタは、少なくとも１つの駆動開口を有し、前記第１の方向は前記第１ラインの方向であり、前記第２の方向は前記第２ラインの方向であり前記移動ラインの前記所定の方向は、前記矩形の対角線の方向であることを特徴としてもよい。
【００１１】
（４）（２）又は（３）に記載された表示装置において、前記移動ラインは、前記第１ラインと前記第２ラインとがなす角を二等分する方向であることを特徴としてもよい。更に、前記第１ラインと前記第２ラインとがなす角は９０度であることを特徴としてもよい。
【００１２】
（５）（２）から（４）のいずれか１項に記載された表示装置において、前記第１固定スリット及び前記第２固定スリットは、端部が接続されて一体的にＬ字又はＶ字を描くように形成され、前記第１駆動スリット及び前記第２駆動スリットは、端部が接続されて一体的にＬ字又はＶ字を描くように形成されていることを特徴としてもよい。
【００１３】
（６）（２）から（４）のいずれか１項に記載された表示装置において、前記第１固定スリット及び前記第２固定スリットは、所定の間隔を有して離間して形成され、前記第１駆動スリット及び前記第２駆動スリットは、所定の間隔を有して離間して形成されていることを特徴としてもよい。
【００１４】
（７）（２）から（６）のいずれか１項に記載された表示装置において、マトリクス状に配置された複数の画素を有し、複数の画素の各々は、一つの前記シャッタと複数の前記固定開口とを有し、前記シャッタは、複数の前記駆動開口を有することを特徴としてもよい。更に、前記複数の前記固定開口と前記複数の前記駆動開口とは同数であることを特徴としてもよい。或いは、前記複数の前記固定開口の数は、前記複数の前記駆動開口の数よりも大きいことを特徴としてもよい。
【００１５】
（８）（２）から（７）のいずれか１項に記載された表示装置において、対向配置された一対の基板を有し、前記駆動部は、前記一対の基板の内の一方の基板に形成され、前記駆動部は、前記シャッタを前記一方の基板と所定の間隔を隔てて支持する第１電極と、前記第１電極の前記シャッタの側とは反対側の位置で前記第１電極と対向する第２電極と、を有し、前記第１電極と前記第２電極との間の電位差によって、前記シャッタを移動させることを特徴としてもよい。
【００１６】
（９）（８）に記載された表示装置において、前記シャッタを挟むように、一対の前記第２電極が設けられ、前記一対の前記第２電極の各々は、前記移動ラインに沿って、前記シャッタの両側に配置され、前記一対の前記第２電極の各々と前記シャッタとの間に、前記第１電極が設けられていることを特徴としてもよい。
【００１７】
（１０）（９）に記載された表示装置において、前記第１電極は、前記シャッタの平面外形に外接する最小の四角形の隣接する二辺にそれぞれ隣り合う部分を有するように配置された一対の第１ビームを有し、前記第２電極は、前記一対の第１ビームにそれぞれ隣り合う部分を有するように配置された一対の第２ビームを有し、１つの前記第１ビームと１つの前記第２ビームが相互に対向することを特徴としてもよい。
【００１８】
（１１）（１０）に記載された表示装置において、それぞれの前記第１ビームは、隣り合う一方の前記第２ビームと対向する中間部分と、前記中間部分の一端から延びて前記シャッタに接続する接続部と、前記中間部分の前記接続部とは反対側で前記一方の基板上の位置が固定された固定点と、を有し、前記接続部から前記第１電極と隣り合う前記二辺の間の角までの距離は、前記固定点から前記角までの距離よりも小さいことを特徴としてもよい。
【００１９】
（１２）（１１）に記載された表示装置において、前記中間部分と前記一方の前記第２ビームとの間隔は、前記接続部に近い側よりも前記固定点に近い側が小さいことを特徴としてもよい。
【００２０】
（１３）（１１）又は（１２）に記載された表示装置において、前記中間部分は、前記シャッタの前記平面外形と対向する対向領域を有し、且つ前記対向領域と前記固定点との間に延在領域を有することを特徴としてもよい。
【００２１】
（１４）本発明に係る表示装置は、対向配置された一対の基板と、光が透過する固定開口が形成された遮光膜と、駆動開口を有して前記光の透過及び遮断を制御するシャッタと、前記シャッタ及び前記駆動開口を、所定の方向である移動ラインに沿って移動させる駆動部とを有し、前記駆動部は、前記一対の基板の内の一方の基板に形成され、前記駆動部は、前記シャッタを前記一方の基板と所定の間隔を隔てて支持する一対の第１電極と、前記一対の第１電極の各々の前記シャッタの側とは反対側の位置で前記一対の第１電極の各々と対向する一対の第２電極とを有し、前記一対の第１電極の各々は、、前記移動ラインに沿って、前記シャッタの両側に配置され、互いに対向する前記第１電極と前記第２電極との間の電位差によって、前記シャッタを移動させ、前記一対の第１電極は、前記シャッタの平面外形に外接する最小の四角形の対角にそれぞれ隣り合う部分を有するように配置され、それぞれの前記第１電極は、前記対角の一方を挟む二辺にそれぞれ隣り合う部分を有するように配置された一対の第１ビームを有し、それぞれの前記第２電極は、前記一対の第１ビームにそれぞれ隣り合う部分を有するように配置された一対の第２ビームを有し、１つの前記第１ビームと１つの前記第２ビームが相互に対向することを特徴とする。本発明によれば、シャッタの二辺に隣り合うように一対の第１ビームを配置するので、シャッタの一辺に沿って一対の第１ビームを配置する構造と比べて、それぞれの第１ビームを長くすることができる。これにより、同一電圧でも従来構造に比べ第１ビームと第２ビーム間の静電気力を大きくすることができる。また、第１ビームと第２ビームの長さが従来構造に比べ長くなるため、従来構造に比べ剛性も下がるため、シャッタを動きやすくすることができる。更に、第１ビームの長さを長くできることにより、従来構造に比べシャッタの可動距離を長くできるという効果も有することができる。
【００２２】
（１５）（１４）に記載された表示装置において、マトリクス状に配置された複数の画素を有し、複数の画素の各々の形状は矩形であり、前記移動ラインの前記所定の方向は、前記矩形の対角線の方向であることを特徴としてもよい。
【００２３】
（１６）（１４）又は（１５）に記載された表示装置において、それぞれの前記第１ビームは、隣り合う一方の前記第２ビームと対向する中間部分と、前記中間部分の一端から延びて前記シャッタに接続する接続部と、前記中間部分の前記接続部とは反対側で前記一方の基板上の位置が固定された固定点と、を有し、前記接続部から前記第１電極と隣り合う前記対角の内の一方の角までの距離は、前記固定点から前記一方の角までの距離よりも小さいことを特徴としてもよい。
【００２４】
（１７）（１６）に記載された表示装置において、記中間部分と前記一方の前記第２ビームとの間隔は、前記接続部に近い側よりも前記固定点に近い側が小さいことを特徴としてもよい。
【００２５】
（１８）（１６）又は（１７）に記載された表示装置において、前記中間部分は、前記シャッタの前記平面外形と対向する対向領域を有し、且つ前記対向領域と前記固定点との間に延在領域を有することを特徴としてもよい。
【図面の簡単な説明】
【００２６】
【図１】本発明の実施形態に係る表示装置の側面図である。
【図２】図１に示す表示装置の平面図である。
【図３】遮光膜を示す図である。
【図４】シャッタ及びその駆動部を示す図である。
【図５】シャッタと遮光膜を示す図である。
【図６】第１固定スリット及び第１駆動スリットの縦断面を示す図である。
【図７】第２固定スリット及び第２駆動スリットの縦断面を示す図である。
【図８】本実施形態の変形例に係る遮光膜を示す図である。
【図９】本実施形態の変形例に係るシャッタを示す図である。
【図１０】本実施形態の他の変形例に係る遮光膜を示す図である。
【図１１】本実施形態の他の変形例に係るシャッタを示す図である。
【発明を実施するための形態】
【００２７】
以下、本発明の実施形態について、図面を参照して説明する。
【００２８】
図１は、本発明の実施形態に係る表示装置を模式的に示した側面図である。表示装置は、光透過性を有する一対の基板１０，１２（例えばガラス基板）を有する。一対の基板１０，１２は、間隔をあけて対向するように配置されている。図２は、図１に示す表示装置の平面図である。図２では、上側の基板１０を仮想線で示して内部構造を示してある。
【００２９】
一対の基板１０，１２は、図２に示すシール材１４によって間隔をあけて固定されている。シール材１４は一対の基板１０，１２の対向面同士に密着している。また、シール材１４は、図２に示すように、切れ目１６を有して空間を囲むように形成されている。エンドシール１８が、シール材１４の切れ目１６を塞いで、シール材１４が囲む空間を封止して封止空間を形成している。封止空間にはオイル２０（例えばシリコーンオイル）が満たされている。一対の基板１０，１２がガラスからなる場合、ガラスと屈折率の近いオイル２０を使用すれば、オイル２０を満たすことで、一対の基板１０，１２との界面での光の反射を減らすことができる。
【００３０】
図３は、表示装置の内部構造の一部を拡大した平面図である。一対の基板１０，１２の一方の基板には、他方の基板に対向する側に遮光膜２２が形成されている。遮光膜２２には、光がそれぞれ透過する複数の固定開口２４が形成されている。尚、遮光膜２２のバックライト４０（図１参照）側の表面は、固定開口２４以外の領域がバックライト４０から照射された光をバックライト４０側へ反射できるように、高反射膜になっている。反射された光はバックライト４０側に戻り、再び固定開口２４を通過する光として利用される。一方、遮光膜２２の対向基板側（或いはバックライト４０の反対側）の表面は、、不要な光の回り込みを防止する観点から開固定開口２４以外の領域が低反射膜になっていることが望ましい。
【００３１】
固定開口２４は、第１固定スリット２６を含む。第１固定スリット２６は、第１ライン２８に沿って延びるように形成されている。第１ライン２８は直線である。複数の第１固定スリット２６が、相互に平行な複数の第１ライン２８にそれぞれ沿って延びる。
【００３２】
固定開口２４は、第２固定スリット３０を含む。第２固定スリット３０は、第２ライン３２に沿って延びるように形成されている。第２ライン３２は直線である。第２ライン３２は、第１ライン２８と交差する。第１ライン２８と第２ライン３２の間の角度は、例えば９０度である。複数の第２固定スリット３０が、相互に平行な複数の第２ライン３２にそれぞれ沿って延びる。
【００３３】
第１固定スリット２６及び第２固定スリット３０は、端部が接続されて一体的にＬ字又はＶ字を描くように形成されている。第１固定スリット２６及び第２固定スリット３０は、図４に示すシャッタ３６の移動ライン３４を挟む両側の領域にそれぞれ配置されている。移動ライン３４は直線である。移動ライン３４の方向は、交差する第１ライン２８及び第２ライン３２の間の角度を二等分する方向であることが望ましい。
【００３４】
図４は、表示装置の内部構造の他の一部を拡大した平面図である。表示装置は、シャッタ３６を有する。シャッタ３６は、一対の基板１０，１２の一方の基板に設けられている。尚、図３及び図４では、一対の基板１０，１２の一方の基板にシャッタ３６を設け、他方の基板に遮光膜２２を形成する構造を示したが、シャッタ３６及び遮光膜２２の両方を一対の基板１０，１２の一方の基板に設けてもよい。
【００３５】
図５は、シャッタ３６と遮光膜２２を示す図である。複数のシャッタ３６が、遮光膜２２から間隔をあけて配置されている。シャッタ３６は、固定開口２４に対応する駆動開口３８を有し、固定開口２４に対応して光の透過及び遮断を制御する。すなわち、固定開口２４と駆動開口３８が連通することで光が透過し、シャッタ３６の駆動開口３８以外の部分で光を遮断する。光は、基板１０，１２に重ねられたバックライト４０（図１参照）から供給される。
【００３６】
駆動開口３８は、第１駆動スリット４２を有する。第１駆動スリット４２は、第１ライン２８に沿って延びるように形成されている。複数の第１駆動スリット４２が、複数の第１ライン２８にそれぞれ沿って延びる。駆動開口３８は第２駆動スリット４４を有する。第２駆動スリット４４は、第１ライン２８と交差する第２ライン３２に沿って延びるように形成されている。複数の第２駆動スリット４４が、複数の第２ライン３２にそれぞれ沿って延びる。
【００３７】
第１駆動スリット４２及び第２駆動スリット４４は、シャッタ３６の移動ライン３４を挟む両側にそれぞれ配置されている。第１駆動スリット４２及び第２駆動スリット４４は、端部が接続されて一体的にＬ字又はＶ字を描くように形成されている。
【００３８】
第１固定スリット２６及び第１駆動スリット４２は、シャッタ３６が光を透過する位置にあるときに連通するように配置されている。同様に、第２固定スリット３０及び第２駆動スリット４４は、シャッタ３６が光を透過する位置にあるときに連通するように配置されている。
【００３９】
表示装置は、図４に示すように、シャッタ３６を、光を透過する位置と光を遮断する位置との間で、移動ライン３４に沿って移動させる駆動部４６を有する。駆動部４６は、シャッタ３６を支持する（即ち、シャッタ３６の主面を遮光膜２２から所定の間隔を隔てた位置に保持する）第１電極４８を有する。一対の第１電極４８が、シャッタ３６の移動ライン３４に沿って相互に反対側でシャッタ３６をそれぞれ支持する。一対の第１電極４８は、シャッタ３６の平面外形に外接する最小の四角形Ｑの対角５０にそれぞれ隣り合う部分を有するように配置されている。
【００４０】
第１電極４８は、一対の第１ビーム５２（第１の梁）を有する。一対の第１ビーム５２は、シャッタ３６の平面外形に外接する最小の四角形Ｑの隣接する二辺５４（対角５０の一方を挟む二辺５４）にそれぞれ隣り合う部分を有するように配置されている。シャッタ３６は、第１ビーム５２に支持されて基板１０又は１２から浮くようになっている（即ち、シャッタ３６の主面が遮光膜２２から所定の間隔を隔てて位置している）。複数（図４では４つ）の第１ビーム５２によってシャッタ３６が支持されている。第１ビーム５２は、第１アンカー部５６で基板１０又は１２に固定されている。第１ビーム５２は、弾性変形可能な材料からなり、シャッタ３６の主面に略平行な方向に変形（移動）できるように配置されている。
【００４１】
第１ビーム５２は、シャッタ３６に接続する接続部５８を有する。接続部５８から中間部分６０が延びる。中間部分６０の接続部５８とは反対側で、第１ビーム５２の端部は、固定点Ｐを有し、固定点Ｐで位置が固定されている。即ち、固定点Ｐに第１アンカー部５６が設けられている。接続部５８は、固定点Ｐよりも、第１電極４８と隣り合う二辺５４の間の角５０ａ（一対の第１電極４８と隣り合う対角５０の一方）に近い。固定点Ｐは、接続部５８よりも、中間部分６０と隣り合う一方の辺５４ａを挟んで、二辺５４の間の角５０ａの隣にある他の角５０ｂに近い。中間部分６０は、固定点Ｐ側の端部が、隣り合う辺５４ａとの対向領域を超えるように延びている。
【００４２】
駆動部４６は、第２電極６２を有する。第２電極６２は、第１電極４８よりもシャッタ３６から離れた側で第１電極４８と対向する。一対の第２電極６２が、一対の第１電極４８のシャッタ３６とは反対側の位置に、一対の第１電極４８から間隔をあけてそれぞれ対向する。第２電極６２は、一対の第１ビーム５２にそれぞれ隣り合う部分を有するように配置された一対の第２ビーム６４（第２の梁）を有する。１つの第１ビーム５２と１つの第２ビーム６４が相互に対向する。
【００４３】
第２ビーム６４は、基板１０又は１２に設けられた第２アンカー部６６に支持されている。第２ビーム６４は、隣り合う第１ビーム５２の中間部分６０と対向する。隣り合う中間部分６０及び第２ビーム６４の間隔は、接続部５８に近い側（図４のｄ１）において広く、固定点Ｐに近い側（図４のｄ２）において狭くなっている。（即ち、ｄ１＞ｄ２となっている。）シャッタ３６を挟むように、シャッタ３６の移動ライン３４に沿った両側に、一対の第２電極６２が設けられている。それぞれの第２電極６２とシャッタ３６との間に、第１電極４８が設けられている。
【００４４】
対向する１つの第１電極４８と１つの第２電極６２との各々に所望の電位が印加され、対向する１つの第１電極４８と１つの第２電極６２との間の静電引力の強弱（換言すれば、電位差の強弱）によって、第１電極４８の移動に伴ってシャッタ３６を移動させる。シャッタ３６の駆動開口３８と遮光膜２２の固定開口２４が連通すれば光が通過し、シャッタ３６の移動によって遮光膜２２の固定開口２４が遮蔽されると光が遮断される。言い換えると、遮光膜２２の固定開口２４への光の通過及び遮断を制御するように、シャッタ３６は機械的に駆動される。１つのユニットを構成する駆動開口３８を有するシャッタ３６、該駆動開口３８及びシャッタ３６と対応する固定開口２４、及び駆動部４６によって１画素が構成され、多数の画素によって画像が表示されるようになっている。そのため、複数（多数）のシャッタ３６（即ち、複数の上記ユニット）が設けられている。
【００４５】
封止空間には、図２に示すように、オイル２０（例えばシリコーンオイル）が満たされている。シャッタ３６及び駆動部４６は、オイル２０内に配置されている。オイル２０を満たすことで、誘電率が上がり、静電引力によってシャッタ３６を所望の位置に移動させる駆動電圧（即ち、第１電極４８や第２電極６２に印加される電圧）を低下させることができる。オイル２０によってシャッタ３６及び駆動部４６の動きによる振動を抑えることができ、第１ビーム５２と第２ビーム６４のくっつきも防止することができる。
【００４６】
図６は、第１固定スリット２６及び第１駆動スリット４２の縦断面を示す図である。図７は、第２固定スリット３０及び第２駆動スリット４４の縦断面を示す図である。
【００４７】
本実施形態によれば、固定開口２４を透過する光は、固定開口２４に対して（遮光膜２２の表面に対して）垂直に進行する光Ｌv（図５参照）と、固定開口２４に対して（遮光膜２２の表面に対して）斜めに進行する光がある。斜めに進行する光は、第１ライン２８の方向に傾斜する光Ｌ１（遮光膜２２の表面に垂直な面で、且つ第１ライン２８に平行な面に沿って進む光、図６参照）と、第２ライン３２の方向に傾斜する光Ｌ２（遮光膜２２の表面にな面で、且つ第２ライン３２に平行な面に沿って進む光、図７参照）を含む。
【００４８】
第１固定スリット２６及び第１駆動スリット４２が連通すると、第１固定スリット２６を垂直に（遮光膜２２の表面に直交する方向に）透過した光Ｌvは、さらに第１駆動スリット４２を透過する（図５参照）。第１ライン２８の方向に傾斜する光Ｌ１も、第１固定スリット２６から、第１駆動スリット４２の長手方向に傾いているので、第１駆動スリット４２を透過する（図６参照）。
【００４９】
第２固定スリット３０及び第２駆動スリット４４も連通しているので、第２固定スリット３０を垂直に（遮光膜２２の表面に直交する方向に）透過した光Ｌvは、さらに第２駆動スリット４４を透過する（図５参照）。第２ライン３２の方向に傾斜する光Ｌ２も、第２固定スリット３０から、第２駆動スリット４４の長手方向に傾いているので、第２駆動スリット４４を透過する（図７参照）。
【００５０】
したがって、第１固定スリット２６及び第１駆動スリット４２が延びる方向（第１ライン２８の方向）と、第２固定スリット３０及び第２駆動スリット４４が延びる方向（第２ライン３２の方向）とが交差しているので、従来の矩形（長方形）の形状の固定開口、駆動開口を有する構造（特許文献１の図２参照）と比較して、左右、上下の視野角特性のバランスがよくなる。即ち、視野角特性を向上させることができるので、表示装置の高品位化を実現することができる。尚、シャッタ３６の移動ライン３４と異なる一方向に延びる固定スリット及び駆動スリットを有する構造、即ち、第１固定スリット２６及び第１駆動スリット４２のみ形成し、第２固定スリット３０及び第２駆動スリット４４は具備しない構造でも、従来構造（特許文献１の図２参照）と比較し、視野角特性の向上させることができる。
【００５１】
従来構造（特許文献１の図２参照）では、シャッタの一辺（図４に示す本実施形態の一辺５４ａの相当）に沿って中央部から辺に沿って相互に反対方向に一対の第１ビームが延びているため、１つの第１ビームの長さは、シャッタの当該一辺の半分以下という短さになる。一方、本実施形態によれば、シャッタ３６の平面外形に外接する最小の四角形Ｑの隣接する二辺５４に隣り合うように一対の第１ビーム５２を配置できるため、本実施例で示す第１ビーム５２の長さは従来構造に比べ２倍近く長くすることができる。また、第１ビームに呼応して第２ビームも長くできるため、お互いに対向する第１ビームと第２ビームの対向面積も増大し、同一電圧でも従来構造に比べ第１ビームと第２ビーム間の静電気力を大きくすることができる。また、第１ビームと第２ビームの長さが従来構造に比べ長くなるため、従来構造に比べ剛性も下がるため、シャッタ３６を動きやすくすることができる。更に、第１ビームの長さを長くできることにより、本実施形態は、従来構造に比べシャッタ３６の可動距離を長くできるという効果も有することができる。
【００５２】
図８は、本実施形態の変形例に係る遮光膜を示す図である。図９は、本実施形態の変形例に係るシャッタを示す図である。本変形例では、遮光膜１２２の固定開口１２４及びシャッタ１３６の駆動開口１３８の形状において上記実施形態と異なっている。すなわち、第１固定スリット１２６及び第２固定スリット１３０は、間隔をあけて別々に形成されている。第１駆動スリット１４２及び第２駆動スリット１４４は、間隔をあけて別々に形成されている。その他の構造は、上記実施形態で説明した内容が該当する。
【００５３】
本発明は、上述した実施形態に限定されるものではなく種々の変形が可能である。即ち、実施形態で説明した構成は、実質的に同一の構成、同一の作用効果を奏する構成又は同一の目的を達成することができる構成で置き換えることができる。
【００５４】
上述した実施形態では、１つのユニットにおける遮光膜に形成した固定開口の数と、シャッタに形成した駆動開口の数とを同数にしているが、この数は異なってもよい。例えば、図１０、図１１に示すように、１つのユニットにおける固定開口２２４の数を３個、駆動開口２３８の数を２個としてもよい。駆動開口２３８の数よりも固定開口２２４の数が多くても、光を遮蔽するときはシャッタの主面で固定開口２２４を覆えば、対応する画素から光が出射されない状態にすることができる。また、光を透過するときは固定開口２２４から出射される光を遮蔽するものがなければ、固定開口２２４と駆動開口２３８とが必ずしも連通させなくても対応する画素から光が出射される状態にすることができる。従って、図１０、図１１に示す構成でも上述した実施形態と同一の作用効果を奏することができる。更に、固定開口２２４と駆動開口２３８とが必ずしも連通させなくてもよいことから、その分シャッタの面積を小さくすることが可能となる。
【符号の説明】
【００５５】
１０  基板、１２  基板、１４  シール材、１６  切れ目、１８  エンドシール、２０  オイル、２２  遮光膜、２４  固定開口、２６  第１固定スリット、２８  第１ライン、３０  第２固定スリット、３２  第２ライン、３４  移動ライン、３６  シャッタ、３８  駆動開口、４０  バックライト、４２  第１駆動スリット、４４  第２駆動スリット、４６  駆動部、４８  第１電極、５０  対角、５０ａ  角、５０ｂ  角、５２  第１ビーム、５４  二辺、５４ａ  辺、５６  第１アンカー部、５８  接続部、６０  中間部分、６２  第２電極、６４  第２ビーム、６６  第２アンカー部、１２２  遮光膜、１２４  固定開口、１２６  第１固定スリット、１３０  第２固定スリット、１３６  シャッタ、１３８  駆動開口、１４２  第１駆動スリット、１４４  第２駆動スリット、Ｌv  光、Ｌ１  光、Ｌ２  光、Ｐ  固定点、Ｑ  四角形。
【図１】
2013068757.tif 000003
【図２】
2013068757.tif 000004
【図３】
2013068757.tif 000005
【図４】
2013068757.tif 000006
【図５】
2013068757.tif 000007
【図６】
2013068757.tif 000008
【図７】
2013068757.tif 000009
【図８】
2013068757.tif 000010
【図９】
2013068757.tif 000011
【図１０】
2013068757.tif 000012
【図１１】
2013068757.tif 000013